【手続補正書】
【提出日】平成16年5月28日(2004.5.28)
【手続補正１】
【補正対象書類名】明細書
【補正対象項目名】全文
【補正方法】変更
【補正の内容】
【書類名】      明細書
【発明の名称】  遊技機
【特許請求の範囲】
【請求項１】  遊技盤の表面側に遊技者が発射した球が流入可能な入賞口を設け、該入賞口を前記遊技盤に設けた導出穴を介して該遊技盤の裏面側に連通させ、前記遊技盤の裏面側に前記入賞口に流入した入賞球を流下させる流下樋を具備する遊技盤裏面構成部材を設けた遊技機において、
前記流下樋は、
略水平方向から垂直下方に屈曲形成され、
該屈曲形成された隅部に前記入賞口へ流入した入賞球の下方への流下を補助する下方流下補助部と、
該下方流下補助部の下流側に入賞球を検出するための球センサが収納される凹部と、
を備え、
前記下方流下補助部は、
前記流下樋の幅方向に並列に設けた２本の起立壁から構成され、
該２本の起立壁は、
前記導出穴に対して斜めに面する案内面を形成すると共に、当該２本の起立壁の間に入賞球の中心が位置するように構成され、
前記入賞口に流入した入賞球を、前記遊技盤裏面側に略水平方向に誘導した後に、前記２本の起立壁により垂直方向に流下案内してから前記球センサにより検出させるようにしたことを特徴とする遊技機。
【発明の詳細な説明】
【０００１】
【発明の属する技術分野】
本発明は、パチンコ遊技機等の遊技機に関するものである。
【０００２】
【従来の技術】
従来の遊技機、特にパチンコ遊技機は、本体枠に回動可能に軸支して前面枠を取り付けると共に、入賞口が備えられた遊技領域が形成された遊技盤を取り付けてあり、且つ、その遊技盤の裏面側に、入賞口からの入賞球を誘導する誘導樋を形成した遊技盤裏面構成部材を取り付けていた。そして、従来のパチンコ遊技機の遊技盤裏面構成部材は、遊技球を流下させる際に、自然落下のみに頼っていた。
【０００３】
換言すれば、従来の遊技機は、遊技領域を備える遊技盤の裏面側に、自然落下するセーフ球を回収するための球寄せとして機能する遊技盤裏面構成部材を備えた構成となっており、遊技盤裏面構成部材は単なる球の受け部材にすぎなかった。
【０００４】
【発明が解決しようとする課題】
しかしながら、従来のパチンコ遊技機の遊技盤裏面構成部材は、遊技球を流下させる際に、自然落下のみに頼っているため、次のような課題があった。即ち、遊技盤の正面から裏面側へ緩やかに傾斜した球貫通流路（導出穴）を経て遊技盤裏面に抜けたとき、遊技盤裏面では、略垂直方向に流下する流下樋を備えていることから、入賞ロに連続して球が入賞した場合などに水平方向から垂直方向に流下方向が急激に変化するため、この部分で球詰まりが発生する可能性があった。
また、流下樋の途中に入賞球検出用の球センサが取り付けられる場合に球の流下スピードが一定でなくなり、このためスピードが速すぎて球を検出できなかったり、遅すぎて、１個の入賞でも複数個数分検出するチャタリング動作をする可能性があった。
【０００５】
そこで、本発明の目的は、上記課題を解決し、入賞口から遊技盤裏面に抜けた入賞球の流下方向を、水平方向から垂直方向に円滑に変化させて、この部分で球詰まりの発生を防止すると共に、安定した球検出を行うことができる遊技機を提供することにある。
【０００６】
【課題を解決するための手段】
本発明は上記目的を達成するためになされたものであり、請求項１に記載のものは、遊技盤の表面側に遊技者が発射した球が流入可能な入賞口を設け、該入賞口を前記遊技盤に設けた導出穴を介して該遊技盤の裏面側に連通させ、前記遊技盤の裏面側に前記入賞口に流入した入賞球を流下させる流下樋を具備する遊技盤裏面構成部材を設けた遊技機において、
前記流下樋は、
略水平方向から垂直下方に屈曲形成され、
該屈曲形成された隅部に前記入賞口へ流入した入賞球の下方への流下を補助する下方流下補助部と、
該下方流下補助部の下流側に入賞球を検出するための球センサが収納される凹部と、
を備え、
前記下方流下補助部は、
前記流下樋の幅方向に並列に設けた２本の起立壁から構成され、
該２本の起立壁は、
前記導出穴に対して斜めに面する案内面を形成すると共に、当該２本の起立壁の間に入賞球の中心が位置するように構成され、
前記入賞口に流入した入賞球を、前記遊技盤裏面側に略水平方向に誘導した後に、前記２本の起立壁により垂直方向に流下案内してから前記球センサにより検出させるようにしたことを特徴とする遊技機である。
【０００７】
【発明の実施の形態】
以下、本発明を図示の実施形態に基づいて説明する。
図１は代表的な遊技機であるパチンコ遊技機（以下、単にパチンコ機１という。）の背面図、図２は遊技盤２の正面図である。
【０００８】
パチンコ機１は、図１に示すように、前後が開放した機枠５の前面開口部分に額縁状の前面枠６を開閉可能に一側方に軸支して取り付け、この前面枠６の裏面に、遊技盤２（図２）を収納する金属製の遊技盤収納フレーム３を取り付け、その遊技盤収納フレーム３の裏面に設けた裏機構盤３０に電源供給ユニット３５及び各種制御装置を取り付けている。また前面枠６の下部には、駆動用モータ及び発射杵からなる発射装置３６が設けられている。なお、パチンコ機１の側方にはプリペイドカード用のカードユニット４を具備する。
【０００９】
上記した遊技盤２には、図２に示すように、前面にガイドレール等の区画部材１６により区画されたほぼ円形状の遊技領域１７のほぼ中央に、始動口１９に入賞したことを条件として図柄合わせ遊技等の特別遊技を行う特図表示装置（特別図柄表示装置）１８を配設してあり、特図表示装置１８の下方には始動口１９を、また始動口１９の下方には特別遊技で大当りになると開く変動入賞装置（アタッカー）２０をそれぞれ配設してある。また、始動口１９の左右両側には、それぞれ普図ゲート（普通図柄ゲート）２１，２１を配設してある。さらに、変動入賞装置２０が両側に具備しているサイド入賞口（一般入賞口）２３とは別体に、遊技盤の両側、つまり遊技領域１７内の左右両端部分には、サイド入賞口２８，２８を設けてある。この他に、遊技領域１７内の左右両端部分にはサイドランプ２４，２４を設けてある。
【００１０】
即ち、このパチンコ機１は、遊技盤２の遊技領域１７に配設された始動口１９に球が入賞したことに基づき特図表示装置１８により所定の抽選（補助ゲーム）を行い、その抽選結果により遊技者に有利な特別遊技状態が起生される遊技機であって、遊技盤２に、上記特別遊技状態が起生されることに基づいて開放制御されて球の入賞が可能となる変動入賞装置２０と、この変動入賞装置２０とは別体に遊技盤２の両側方に各々に位置させたサイド入賞口とを具備する構成となっている。なお、変動入賞装置２０内の球出口部２２には球センサ２２ａが、また変動入賞装置２０と一体の両側の一般入賞口２３には球センサ２３ａが設けられている（図２、図３）。
【００１１】
次にパチンコ機１の裏面側の構成について説明する。
前面枠６の裏面側に取り付けた裏機構盤３０には、図１に示すように、球貯留タンク３１、球導出樋３２、球排出ユニット３３などを取り付け、球貯留タンク３１から導出した遊技球が球導出樋３２内で整列されながら球排出ユニット３３に流下案内され、貸し球や賞球として排出された後、球流下路３４を通って前面側の上皿や下皿に排出されるように構成してある。
【００１２】
また、遊技機裏面の上下中央から少し上方であって左右略中央には、遊技盤２に取り付けられた特図表示装置１８の後部が位置している。この他に、遊技機裏面には、電源供給ユニット３５や、遊技球を遊技領域１７に向けて弾発する発射装置３６が設けられている。また、パチンコ機１における各種の制御を行う制御装置が機能別に分けて、即ち、遊技制御装置４０、表示制御装置（表示制御基板）４７、装飾制御装置４１、音制御装置４２、排出制御装置４３、発射制御装置４４等に分けて設けられ、中継基盤や接続ケーブルを介して電気的に接続されている。
【００１３】
このうち、表示制御装置４７は上記特図表示装置１８の内部に表示制御基板として収納され、また装飾制御装置４１は後述するように上記特図表示装置１８の背面に取り付けられている。
【００１４】
遊技制御装置４０は、遊技の統括的な制御を行う制御装置である。そして、表示制御装置４７は、特図表示装置１８の画像表示を制御する制御装置であり、特図表示装置１８に電源を供給している。また、装飾制御装置４１は、サイドランプ２４等の発光装飾部材の発光を制御する制御装置であり、この発光装飾部材に電源を供給している。音制御装置４２は、効果音を生成する等、効果音に関する制御を行う制御装置である。排出制御装置４３は、上記した球排出ユニット３３の制御を行う制御装置である。発射制御装置４４は、発射操作部の回動に応じて発射装置３６のモータを制御し、遊技球を発射させる制御装置である。
【００１５】
遊技盤２の背面には、図３に示すように、セーフ球を回収するための球寄せとして機能する樹脂製の遊技盤裏面構成部材５０を取り付けてある。この遊技盤裏面構成部材５０は、図４に示す遊技盤裏面上部構成部材５０Ａと図５に示す遊技盤裏面下部構成部材５０Ｂとに分割されており、それぞれ、球詰まりが発生した際に内部が視認できるように、透明もしくは着色半透明の合成樹脂から構成されている。
【００１６】
遊技盤裏面上部構成部材５０Ａの背面には、遊技制御装置の指令信号に基づき複数の識別情報を可変表示する特図表示装置１８が取り付けられる。特図表示装置１８は、図示してないが、液晶表示装置（ＬＣＤ）と表示制御基板とを基板ボックス内に収納した表示ユニットから構成されている。遊技盤裏面上部構成部材５０Ａの背面には、この特図表示装置１８のケースを兼ねて透明（クリア）な樹脂から成型された第１基板ボックス２７が取り付けられている。即ち、遊技盤裏面上部構成部材５０Ａに前後方向に貫通する開口部５１（図４）を開設し、この開口部５１に前面の液晶表示装置を挿入するようにして、開口部５１内に特図表示装置１８のケースである第１基板ボックス２７を取り付ける。そして、この第１基板ボックス２７の背面に、取付ベースを介して装飾制御装置４１のケースである第２基板ボックス５２を取り付ける。
【００１７】
遊技盤裏面下部構成部材５０Ｂは、遊技盤裏面の少なくとも変動入賞装置２０の背後部分及びサイド入賞口２８の背後部分を背面から覆って、変動入賞装置２０及び各サイド入賞口２８が受け入れた入賞球が流下可能に構成する部材である。即ち、遊技盤裏面下部構成部材５０Ｂの背面には、図３及び図５に示すように、中央上部に始動口１９を構成する開閉式入賞具のための収容部６１が突出形成されると共に、この始動口１９からの入賞球を受けるための球流路６２が片側に斜め下方に向けて形成されている。その球出口つまり特図始動口用球出口６３は、遊技盤裏面下部構成部材５０Ｂの中央から片側にずれた所に位置され且つ、下端が開放されており、遊技盤収納フレーム３とその背面側に位置する裏機構盤３０との間隙に形成された下方の誘導樋６４（図１）に流下するようになっている。なお、誘導樋６４は受けた入賞球を一列状態に集合させて流下案内する。
【００１８】
また、遊技盤裏面下部構成部材５０Ｂ内には、その両側に上記サイド入賞口２８の球出口６５としての空間が区画形成されており、更に、この球出口６５と上記誘導樋６４との間において、当該サイド入賞口２８から流下する入賞球を変動入賞装置２０の球出口部２２に対して遠ざかる方向に流下案内する球流下路６７としての空間が区画形成されている。この球流下路６７の下端の球出口、即ちサイド入賞口球出口６８も下方に開放されており、遊技盤収納フレーム３とその背面側に位置する裏機構盤３０との間隙に形成された下方の誘導樋６４（図１）に流下するようになっている。
【００１９】
上記変動入賞装置２０には、これに入賞した入賞球を１個宛検出可能な検出手段として薄型パッケージ形状の近接スイッチから成る球センサ２５（図３）が設けられる。また、上記した各球流下路６７にも、サイド入賞口２８へ入賞した入賞球を各々１個宛検出可能な検出手段として薄型パッケージ形状の近接スイッチから成る球センサ７０（図３）が設けられる。
【００２０】
この球センサ７０を取り付けるために、遊技盤裏面下部構成部材５０Ｂの両側には、上記サイド入賞口２８からの球流下路６７の途中に、球流下路６７を横に交差する形で、球センサ７０を収納する取付用凹部８０（図５）が形成されている。
【００２１】
上記した複数の球流下路（流下樋）を形成する遊技盤裏面下部構成部材５０Ｂの構成は、所定形状の平面基板に対して同一の高さで起立させた外壁６６ａ、流路壁６６ｂ及び流路壁６６ｃ等の起立壁６６を具備しており、これを遊技盤２に固定することにより、遊技盤２との裏面と遊技盤裏面下部構成部材５０Ｂとで流路空間（流下樋）を区画形成するようになっている。具体的には、流路壁６６ｂ、６６ｂ間により球出口６５の流路空間が形成され、流路壁６６ｃ、６６ｃ間により球流下路６７の流路空間が形成され、両流路空間を合わせて１つの連続した流下樋が形成されている。
【００２２】
また、この流路空間の幅は、球出口６５の流路空間の方が、球流下路６７の流路空間よりも若干幅が広く形成されている。即ち、球出口６５は球詰まりをしないようにする目的で遊技盤２に設けられた導出穴７（図６）よりも若干幅広に形成され、そして、球センサ７０の穴径は、チャタリングを防止する目的で、遊技球の直径より僅かに大きい径に設計されている。
【００２３】
遊技盤裏面下部構成部材５０Ｂの流路壁６６ｂ、６６ｂが形成している流下樋である球出口６５の空間の上部には、図６に示すように、その後方隅部、即ち、略水平方向から垂直下方に屈曲形成する流下樋の入隅部分に、流下樋における下方への球の流下を補助する下方流下補助部として、リブ形状の起立壁であるリブ９を設けてある。この実施形態の場合、リブ９は、図５に示すように、流下樋の幅方向に二本の直線的なリブ９ａ、９ｂを並べて形成することにより構成されており、この二本のリブ９ａ、９ｂ間に球の中心が位置するように配置され、これにより球の流下位置を流路の中心に案内するガイド作用がなし得るように構成されている。またリブ９は、その導出穴７に斜めに面する球案内面９ｃが直線に形成され、水平方向から垂直下方に流下方向が急変する流下樋部においても球詰まりしないように、円滑に流下案内する構成になっている。
【００２４】
そして、前記した球センサ７０を遊技盤裏面構成部材５０の下方流下補助部たるリブ９の下流側に配設し、これにより入賞球が多数流下するような場合でも、上流側の下方流下補助部たるリブ９で、それら入賞球の流下方向の円滑な変更及び速度の調整をなした後、それらの入賞球を下流側の球センサにて精度良く検出することができるように構成してある。
【００２５】
なお、リブ９は、その球案内面９ｃが直線でなく曲線つまり円弧である形態であってもよい。また、上記のような球のガイド作用は得られないが、リブ９ａ、９ｂの代わりに球出口６５の空間の幅方向中央に一条に設けた一本のリブとすることもできる。
【００２６】
一方、図３において、遊技盤裏面上部構成部材５０Ａの背面には、その所要部位、ここでは左右方向の片側に、一体的に中継基板用の第１の取付部５３（図４）が設けられており、この第１の取付部５３に、上記装飾制御装置４１と発光装飾部材たるサイドランプ２４とを電気的に中継する中継手段の一構成要素としてとして、装飾用中継基板４８が取り付けられている。
【００２７】
この装飾用中継基板４８には発光装飾部材であるサイドランプ２４用の複数（ここでは６個）のコネクタ接続部４９が設けられており、この中継基板のコネクタ接続部４９から延出された配線２９の延出先端には、コネクタ９０が取り付けられている。一方、図３に示すように、発光装飾部材たるサイドランプ２４には、その背面側に、コネクタ受け部９１が、サイドランプ２４の裏面位置より突出させた状態で設けられており、このコネクタ受け部９１に、上記配線２９の延出先端に設けたコネクタ９０が接続されるようになっている。このコネクタ９０は、上記装飾用中継基板４８及び配線２９と共に、上記装飾制御装置４１と発光装飾部材たるサイドランプ２４とを電気的に中継する中継手段を構成している。
【００２８】
また、遊技盤裏面上部構成部材５０Ａの背面には、図３及び図４に示すように、サイドランプ２４から装飾用中継基板４８へと開口部５１の周囲に引き回される配線２９を集束するための集束片からなる所要の配線処理部５４，５８が一体的に設けられている。
【００２９】
このうち配線処理部５８は、図７に示すように、樹脂製の遊技盤裏面上部構成部材５０Ａに一体的に形成された前側の配線係止部５８ａと後側の配線係止部５８ｂとの間に、配線係止空間５９を形成した構成を有する。配線係止部５８ｂの可撓性を利用し、配線係止部５８ｂを指で摘んで配線係止空間５９を開き、この配線係止空間５９内に配線２９を通した後、配線係止部５８ｂを戻すことにより、配線２９を保持することができる。
【００３０】
更に、遊技盤裏面上部構成部材５０Ａには、図４に示すように、遊技機裏面側の配線（本実施形態では配線２９）の先端に設けられたコネクタ９０の差込部を一時的に収納可能な収納凹室１０を設けてある。
【００３１】
図８は、この収納凹室１０を示した図４のＤ−Ｄ断面図である。収納凹室１０の内部には、その奥部に、差し込んだコネクタ９０の離脱を防止するため、内部空間（コネクタ収納部）１１の隅部を部分的に膨出させて内部空間を狭窄させたコネクタ仮止め部１２を有する。
【００３２】
この収納凹室１０は、サイドランプ２４のコネクタ受け部９１が左右２つであることに対応して、遊技盤裏面上部構成部材５０Ａの左右に２つ設けられている。また収納凹室１０の形状と大きさは、サイドランプ２４のコネクタ受け部９１に対応して、コネクタ９０と相補的な形状と寸法になっている。このため、作業者は、この収納凹室１０にコネクタ９０を収納して仮止めすることができることを、直感的に理解することができる。
【００３３】
次に、遊技盤裏面構成部材５０の組み付け手順について説明する。
まず、遊技盤裏面構成部材５０の組み付けに際し、配線処理された装飾用中継基板４８、つまり配線２９がコネクタ接続部４９から延設された装飾用中継基板４８を、遊技盤裏面上部構成部材５０Ａの取付部５３に取り付け、その延在している配線２９を配線処理部５４により開口部５１に沿って整然と引き回して処理する。この時点では、遊技盤裏面上部構成部材５０Ａが単独で存在するだけであり、遊技盤には未だ取り付けられていない。従って、装飾用中継基板４８から延出されている配線２９は、その先端に設けられたコネクタ９０の重みで垂れ下がった状態となり、次の部品の取り付け作業等を行なうのに非常に邪魔な存在となる。
【００３４】
そこで、この装飾用中継基板４８から延出されている配線２９については、その先端のコネクタ９０の差込部を、遊技盤裏面構成部材５０Ａに設けた収納凹室１０に一時的に収納し、これにより他の部品の取り付け作業を邪魔しない位置に保留しておく。
このように、まず、配線処理された装飾用中継基板４８の取り付けと、サイドランプ２４用の配線２９等の予配線処理（絡め処理）までを行っておく。
【００３５】
次に、この状態の遊技盤裏面上部構成部材５０Ａを、遊技盤２に対して、背面側から取り付けると共に、正面側からサイドランプ２４を取り付ける。
【００３６】
次に、サイドランプ２４への配線を行うが、サイドランプ２４のコネクタ受け部９１は、サイドランプ２４の裏面位置より突出させた構成としているので、サイドランプ２４を遊技盤正面に取り付けた際には、サイドランプ背面のコネクタ受け部９１が遊技盤裏面から突出した状態となる。
そこで、遊技盤裏面構成部材５０Ａに設けた上記収納凹室１０からサイドランプ２４用の配線２９のコネクタ９０を引き抜き、サイドランプ２４背面の本来の接続相手であるコネクタ受け部９１へ差し込み、電気的に接続する。
【００３７】
次に、遊技盤裏面上部構成部材５０Ａの開口部５１に前面の液晶表示装置を挿入するようにして、開口部５１内に特図表示装置１８のケースである第１基板ボックス２７を取り付ける。そして、この第１基板ボックス２７の背面に、取付ベースを介して装飾制御装置４１のケースである第２基板ボックス５２を取り付ける。
【００３８】
このようにして、装飾用中継基板４８を具備し、一連の予備的な配線処理の施された遊技盤裏面上部構成部材５０Ａにおいて、その装飾用中継基板４８から延出されている配線２９先端のコネクタ９０を収納凹室１０に収納して仮止めした状態で用意しておく。そして、遊技盤にサイドランプ２４が取り付けてから、配線２９先端のコネクタ９０を収納凹室１０から取り出して、そのサイドランプ２４のコネクタ受け部９１に挿入し、電気的に接続する。
【００３９】
サイドランプ２４のコネクタ受け部９１は左右に２つであり、かつ、収納凹室１０もこれに応じて遊技盤裏面上部構成部材５０Ａの左右に２つであって位置的に対応している。また、サイドランプ２４のコネクタ受け部９１と収納凹室１０の形状と大きさは、コネクタ９０の形状と大きさと相補的な関係になっている。このため、作業者は、どの収納凹室１０にコネクタ９０を収納して仮止めすべきであるか、及び、どのコネクタ受け部９１にコネクタ９０を挿入して本来の電気的接続をなすべきであるかを、直感的に理解することができる。
【００４０】
したがって作業者は、配線２９のコネクタ９０を挿入すべき相手方の所在を直感的に理解しつつ、極めて容易にかつ誤り無く、遊技盤裏面上部構成部材５０Ａ側の発光装飾部材用のコネクタ接続部４９と、サイドランプ２４側のコネクタ接続部（コネクタ受け部９１）とを電気的に接続することができる。また、これらの配線作業は、従来の発光装飾部材からリード線ないし配線を予め延設させておく形態に較べ、非常に容易であり、サイドランプ２４と装飾制御装置４１との配線作業に関し、その作業効率を向上させることができる。
【００４１】
一方、図５において、遊技盤裏面下部構成部材５０Ｂの背面には、その所要部位、ここでは左右方向の片側に、一体的に中継基板用の第２の取付部５５が設けられており、この第２の取付部５５に遊技制御装置用中継基板７３を取り付けて、上記球センサ２２ａ、２３ａ、２５及び７０を含む各種電気部品と上記遊技制御装置４０とを接続する複数の配線７２を途中で中継するようにしている。
【００４２】
また、遊技盤裏面下部構成部材５０Ｂの背面には、変動入賞装置用突出部５６と収容部６１との間の領域において、球センサ７０から遊技制御装置用中継基板７３へと引き回されるリード線（サイド入賞口用配線）７２等を集束するための集束片からなる配線処理部５７が設けられている。
【００４３】
図３には、球センサ７０からの配線７２、球センサ２２ａからの配線７４、球センサ２３ａからの配線７５、球センサ２５からの配線７６を、遊技制御装置用中継基板７３で遊技制御装置４０へ向けて中継接続する様子を示してある。なお、７７は遊技盤用外部出力端子板を示す。
【００４４】
図３及び図６において、上記サイド入賞口２８に入賞した遊技球（入賞球８）は、遊技盤２に設けられた導出穴７を通って遊技盤２の裏面側に抜け、球出口６５の空間内に入り、垂直方向に流下案内せしめられる。即ち、遊技盤２を前後方向に通過し、続いて遊技盤裏面下部構成部材５０Ｂの流路壁６６ｂ、６６ｂが形成している球出口６５の空間内に入るが、その際、球出口６５の空間の上部における後方隅部に設けてあるリブ９に当接し、円滑にその流下方向を垂直方向に変更せしめられる。本実施形態では、リブ９は二本の直線的な並列リブ９ａ、９ｂから構成されており、この二本のリブ９ａ、９ｂ間に球の中心が位置するように案内されながら、入賞球９が円滑に流下案内される。
【００４５】
この作用は、リブ９の当接面が直線でなく円弧である場合も同様に得ることができる。また、上記のような球の心出し作用は得られないが、リブ９ａ、９ｂの代わりに球出口６５の空間の幅方向中央に設けた一本のリブで案内させることもでき、これにより製作の容易化や製造コストの削減を図ることもできる。
【００４６】
いずれにおいても、入賞球はリブ９の働きにより流路方向を横方向から垂直方向に円滑に変換されて球センサ７０に向かう。ここで球出口６５の空間の流路幅は、前記したように、球詰まりをしないようにする目的で導出穴７よりも若干幅広に形成され、そして、球センサ７０の穴径は、チャタリングを防止する目的で、入賞球８の直径（１１ｍｍ）より僅かに大きい径に設計されるが、流路変換空間である球出口６５の空間には、上記リブ９が設けられ円滑に流路方向が変換されるため、球センサ７０の球通過部７１に正確且つ円滑に導くことができる。
【００４７】
そして、球センサ７０で検知された入賞球は、、サイド入賞口球出口６８から下方の誘導樋６４（図１）に流下し、一列状態に集合させられて更に下方へと流下案内される。
【００４８】
ところで、今回開示した実施の形態はすべての点で例示であって制限的なものではないと考えるべきである。本発明の範囲は、前記した説明ではなくて特許請求の範囲によって示され、特許請求の範囲と均等の意味および範囲内でのすべての変更が含まれることが意図される。
例えば、本発明は、パチンコ遊技機に限定されるものではなく、アレンジボール式遊技機や雀球遊技機などでもよい。
【００４９】
【発明の効果】
以上説明したように本発明によれば、遊技盤の表面側に遊技者が発射した球が流入可能な入賞口を設け、該入賞口を前記遊技盤に設けた導出穴を介して該遊技盤の裏面側に連通させ、前記遊技盤の裏面側に前記入賞口に流入した入賞球を流下させる流下樋を具備する遊技盤裏面構成部材を設けた遊技機において、前記流下樋は、略水平方向から垂直下方に屈曲形成され、該屈曲形成された隅部に前記入賞口へ流入した入賞球の下方への流下を補助する下方流下補助部と、該下方流下補助部の下流側に入賞球を検出するための球センサが収納される凹部とを備え、前記下方流下補助部は、前記流下樋の幅方向に並列に設けた２本の起立壁から構成され、該２本の起立壁は、前記導出穴に対して斜めに面する案内面を形成すると共に、当該２本の起立壁の間に入賞球の中心が位置するように構成され、前記入賞口に流入した入賞球を、前記遊技盤裏面側に略水平方向に誘導した後に、前記２本の起立壁により垂直方向に流下案内してから前記球センサにより検出させるようにしたので、入賞口から遊技盤裏面に抜けた入賞球の流下方向を、水平方向から垂直方向に円滑に変化させて、この部分で球詰まりの発生を防止すると共に、安定した球検出を行うことができる。
【図面の簡単な説明】
【図１】
パチンコ機の背面図である。
【図２】
遊技盤の正面図である。
【図３】
遊技盤の背面図である。
【図４】
遊技盤裏面上部構成部材の背面図である。
【図５】
遊技盤裏面下部構成部材の背面図である。
【図６】
サイド入賞口の球出口における下方流下補助部の構成を示した図３のＡ−Ａ断面図である。
【図７】
配線処理部の構成を示した図４のＢ−Ｂ断面図である。
【図８】
収納凹室を示した図４のＤ−Ｄ断面図である。
【符号の説明】
１  パチンコ機
２  遊技盤
３  遊技盤収納フレーム
４  カードユニット
５  機枠
６  前面枠
７  導出穴
８  入賞球
９  リブ（下方流下補助部）
９ａ、９ｂ  リブ
９ｃ  球案内面
１０  収納凹室
１１  内部空間（コネクタ収納部）
１２  コネクタ仮止め部
１６  区画部材
１７  遊技領域
１８  特図表示装置（特別図柄表示装置）
１９  始動口
２０  変動入賞装置（アタッカー）
２１  普図ゲート（普通図柄ゲート）
２２  球出口部
２２ａ  球センサ
２３  一般入賞口
２３ａ  球センサ
２４  サイドランプ（発光装飾部材）
２５  球センサ
２７  第１基板ボックス
２８  サイド入賞口
２９  配線
３０  裏機構盤
３１  球貯留タンク
３２  球導出樋
３３  球排出ユニット
３４  球流下路
３５  電源供給ユニット
３６  発射装置
４０  遊技制御装置
４１  装飾制御装置
４２  音制御装置
４３  排出制御装置
４４  発射制御装置
４５  特図始動記憶表示器
４７  表示制御装置（表示制御基板）
４８  装飾用中継基板
４９  コネクタ接続部
５０  遊技盤裏面構成部材（球寄せ）
５０Ａ  遊技盤裏面上部構成部材
５０Ｂ  遊技盤裏面下部構成部材
５１  開口部
５２  第２基板ボックス
５３  取付部（第１の取付部）
５４  配線処理部
５５  取付部（第２の取付部）
５６  変動入賞装置用突出部
５７  配線処理部
５８  配線処理部
５８ａ、５８ｂ  配線係止部
５９  配線係止空間
６１  収容部
６２  球流路
６３  特図始動口用球出口
６４  誘導樋
６５  球出口
６６  起立壁
６６ａ  外壁
６６ｂ、６６ｃ  流路壁
６７  球流下路
６８  サイド入賞口球出口
７０  球センサ
７１  球通過部
７２  配線
７３  遊技制御装置用中継基板
７４、７５、７６  配線
７７  遊技盤用外部出力端子板
８０  取付用凹部
９０  コネクタ
９１  コネクタ受け部
【手続補正２】
【補正対象書類名】図面
【補正対象項目名】図６
【補正方法】変更
【補正の内容】
【図６】
2002035341.tif 000001